(57)【要約】      （修正有）【課題】高次制御機能の搭載を効率的に実現しながら、実射の雰囲気を損なうことのない、操作性と機動性に優れる銃型コントローラを提供する。【解決手段】射撃ゲームシステムに於ける銃型コントローラに於て、銃型をしたフレームでのグリップ部の末端に連結基部１１０を設け、この連結基部１１０から任意の適性方向に、操作子を適所へ配し係る制御回路１８を収容する付帯制御部１２０を、掌握可能に形成して付設し、上記フレームと一体化させて携帯操作の可能な構成にした。【選択図】図４
2010145081.tif 000002
【特許請求の範囲】
【請求項１】
射撃ゲームシステムに於ける銃型コントローラに於て、銃型をしたフレームでのグリップ部の末端に連結基部を設け、この連結基部から任意の適性方向に、操作子を適所へ配し係る制御回路を収容する付帯制御部を、掌握可能に形成して付設する構成にしたことを特徴とする銃型コントローラ。
【請求項２】
連結基部への付帯制御部の接合に於て、滑節部を介した連結基部と付帯制御部の連結により、相対して回動可能な構成であることを特徴とする請求項１に記載の銃型コントローラ。
【発明の詳細な説明】
【技術分野】
【０００１】  本発明は、射撃ゲームシステムに於ける銃型コントローラに関する。
【背景技術】
【０００２】  射撃ゲームシステムは、受像機、並びに端末器であるコントローラを接続配備し統括制御を行うハードウエア資源を利用して、ソフトウエアのプログラムに基づいた処理情報を、受像機が映像化する中での、画面上に表示される標的を狙撃対象にして、コントローラの操作で疑似射撃を行えることにしたものである。【０００３】  その疑似射撃を行うために使用されるコントローラに於て、所謂、汎用型のコントローラでは、画面上に、コントローラに備わる操作子での操縦可能な照準指標のカーソルを表示させ、このカーソルによる標的の追尾を行いながら、ボタンスイッチでの射撃時機を図る照準操作を要するものとしている（特許文献１を参照）。【０００４】  これに対して、コントローラに銃口部を形成し、そこへ受光素子、或るいは撮像素子等の視覚端末を組み入れ、視覚端末が指向する検出軸での、任意の射出方向先にある着弾地点を検知する仕様にして、実射と同様の銃口を向ける操作での照準修整を可能にすると共に、射撃に際して専用のトリガースイッチにした銃型コントローラがある（特許文献２と３を参照）。【０００５】  そうした銃型コントローラにあって、ゲーム内容の娯楽性を追求し係る演出を高度化させるに伴い、上記した視覚端末とトリガースイッチの構成による射撃機能を準用した上での他に、実行プログラムから生成される様々な局面に、能動的に対応するための操作子を増設し、これに伴なう付加要素で構成された制御回路を搭載する高次対応型の銃型コントローラも考案されている（特許文献４を参照）。【０００６】
【特許文献１】  特表２００３−５１９５４８号  公報
【特許文献２】  第２６８６６７５号  特許公報
【特許文献３】  特開平１０−１６５６４２号  公報
【特許文献４】  特開平１１−３１９３１６号  公報
【発明の開示】
【発明が解決しようとする課題】
【０００７】  しかしながら、以上に述べた従来の高次対応型にした銃型コントローラは、銃身部とグリップ部からなる銃の外形をして、そのフレーム内に高次制御機構を集約させたコントローラであって、制御機能の拡張に伴う各操作子が銃身部位に集中して配備されている。【０００８】  故に、その操作子に添えられる手が、標的を捕えた目線に銃身部を沿わせての、実射と同様にした基本的な射撃姿勢で構えた際には、視界を遮り標的の目測での捕捉を妨げると共に、照準操作の運転軸にするグリップ部を握る手首の動きを阻害して、身体的な機敏性を要する照準操作に支障を来たし、演出された臨場感を損なう欠点がある。【０００９】  そこで本発明は、高次制御機能の搭載を効率的に実現しながら、実射の雰囲気を損なうことのない、操作性と機動性に優れる銃型コントローラの提供を目的とした。
【課題を解決するための手段】
【００１０】  その目的を達成するために、本発明の請求項１に記載する銃型コントローラは、射撃ゲームシステムに於ける銃型コントローラに於て、銃型をしたフレームでのグリップ部の末端に連結基部を設け、この連結基部から任意の適性方向に、操作子を適所へ配し係る制御回路を収容する付帯制御部を、掌握可能に形成して付設し、上記フレームと一体化させて携帯操作の可能な構成にしたことを特徴とする。【００１１】  また、本発明の請求項２に記載する銃型コントローラは、請求項１に於ける連結基部への付帯制御部の接合に於て、連結基部側に球状の突出部を設け、他方、付帯制御部側の当接部位を、上記突出部の摺動を可能としながら嵌合保持する形状にして一対の滑節部とし、この滑節部を介した連結基部と付帯制御部の連結により、相対して回動可能な構成であることを特徴とする。
【発明の効果】
【００１２】  請求項１に記載の発明によれば、高次制御機能を備える付帯制御部を銃型フレームの枠外にしたグリップ下方へ設けることで、操作性本位にして操作子と係る制御回路の構成が可能であって、目障りな銃身部への添え手を不要とし、死角の発生原因を排除することができる。【００１３】  それと共に、グリップ部を握りながらトリガーの操作を行う利き手に対し、その下に位置する付帯制御部への添え手は、利き手の動きに追従する態様にして利き手の手振れを防ぐ支えにもなり、射撃姿勢を安定させ照準操作時での機動性の向上に効果がある。【００１４】  次いで、請求項２に記載の発明によれば、意表を突く標的の動きに対して、グリップ部を握る利き手の手首運転で、反応を素早くした照準操作が可能であり、更なる機動性の向上に効果がある。
【発明を実施するための最良の形態】
【００１５】  以下に、各図と照らした本発明の実施形態を説明する。
【実施例１】
【００１６】  本実施例は、図１と図２、そして図３にて示されている。この実施形態では、外観様式を実銃に倣う銃身部２とグリップ部３からなるフレーム１０にして、銃身部２前端面に設けられた銃口部２ａにあっては、視覚端末１５が、視覚端末１５での検出軸を、想定した射軸１と同一軸となる設定にして配備されている。【００１７】  また、銃身部２と交叉するグリップ部３前面の先に置かれたトリガー４は、バネ６での付勢を受ける常態定位置にして、回転軸５を介し銃身部２に軸支され、これに伴うトリガー４操作時の矢示方向Ｘへの回転動作に応じて入力稼動するスイッチ１６を配置し、以上による銃本体が構成されている。【００１８】  この銃本体を基にして、グリップ部３の末端３ａには、図２に示す板状にした突起の連結基部１１が設けられている。【００１９】  そして、その連結基部１１を側方左右から挟み一体にする付帯制御部１２が、上記連結基部１１から前方向に射軸１と並行させて、圧入、若しくは螺着式のピン１４にて上記連結基部１１に固定されている。【００２０】  上記付帯制御部１２は、図３の部分断面にした一例にある通りの、適当とする外周側壁面の適所へ設けられた穿孔部に、嵌挿されて内外方向の上下動が可能な操作子１７を配し、そうした操作子１７と連係する付加要素で構成された制御回路１８を搭載している。【００２１】  その上で、上記した銃本体での視覚端末１５とスイッチ１６の各配線（図示省略）を、連結基部１１に設けられた連通口１３から付帯制御部１２内に通しての、制御回路１８と接続させた複合回路にする構成も可能としながら、これ等電装と繋った配線ケーブル１９による付帯制御部１２先端からのハードウエア側（図示省略）への接続がなされている。【００２２】  ところで、この様に制御回路１８を備えて構成されるコントローラであれば、その回路内に無線送信装置を組み込むことも容易であり、ハードウエア側に受信部を付設すれば、無線方式の銃型コントローラにすることも可能である。【００２３】  以上のように、本実施例の適用された銃型コントローラは、操作性本位での操作子１７と係る制御回路１８の配置としたことで、目障りな銃身部２への添え手を不要とし、死角の発生原因を排除すると共に、グリップ部３を握りながらトリガー４の操作を行う利き手に対し、その下に位置する付帯制御部１２への添え手は、利き手の動きに追従する態様にして利き手の手振れを防ぐ支えにもなり、射撃姿勢が安定し照準操作時での機動性を向上させることができる。【００２４】  更に副次的な利点として、連結基部１１にあるピン１４を抜くことで、銃本体と付帯制御部１２の二分割が可能であることから、例えば、銃本体に個性的な意匠での各種型式を用意し、他方の付帯制御部１２では難易度による初級と上級向け等の専用機を設け、夫々に組み替えることが容易であり、利用者側での多様な要望に開発と生産の両面で効率的に対応することが出来る。
【実施例２】
【００２５】  本実施例は、図４と図５にて示されている。この実施形態では、実施例１での銃本体を基にして、グリップ末端３ａの平面部に鉛直とした円柱１１１を設け、その円柱１１１先端には球状の突出部１１２を形成し、新たな連結基部１１０が備えられている。【００２６】  上記突出部１１２は、上記円柱１１１と同心円にして円柱１１１外径よりも大径とした上で、図５に示す、突出部１１２の球面に当接する湾曲面を形成して、突出部１１２を側方左右から挟む接合部１２１をなした付帯制御部１２０を連結させている。【００２７】  上記接合部１２１にあっては、滑節として円柱１１１軸を自転軸にした銃本体、若しくは、付帯制御部１２０の回動を可能とし、また、円柱１１１を囲んだ口腔部を接合部１２１に設け、この口腔部内壁面１２２と内接する円柱１１１での周回軌道を範囲にした、旋回運転も可能としている。【００２８】  こうして連結された上記付帯制御部１２０には、連結基部１１０に備わる連通口１１３からの配線引込口とした通用口１２３を設け、実施例１と同様の装備構成がなされている。【００２９】  以上のように、本実施例の適用された銃型コントローラであれば、標的の意表を突いた動きに対し、滑節部を設けたことによる、グリップ部３を握る利き手の手首運転での反応の素早い照準操作が可能であり、機動性の向上に効果があると共に、実施例１と同様にした副次的な効果を応用して得ることができる。
【実施例３】
【００３０】  本実施例は、図６と図７、そして図８と図９にて示されている。この実施形態では、本発明を適用することで実現可能な銃型コントローラの一例として、前記した実施例での銃本体部にあって、トリガー操作と連動するハンマー機構を設けると共に、圧縮空気、または、液化ガスの気化による膨張圧力を動力源にする駆動装置と、この駆動装置に連動するスライド機構を配し、これ等が連係して、実銃が次弾の発射用意を自動で行う実射時作動の再現可能な構成にしている。【００３１】  上記した各要素の関連を具体的に説明すると、スライド機構はそうした中軸であり、銃身部２０の側面左右に射軸１と並走した案内溝２０ｄを設け、この案内溝２０ｄに対し、図７に示す断面形状にして嵌挿されるスライド５１を配備させ、その内側にする銃身部位にあっては、視覚端末１５を配した銃口部２０ａと同外径で連なる筒型銃身部２０ｂを設け、これを支えるブロック部２０ｃが、グリップ部３０と同体でのフレーム１００にして形成されている。【００３２】  そして上記ブロック部２０ｃ前面には、ガイドロッド５３を案内にしてスライド５１を前方向に付勢するバネ５２を配し、これに伴いスライド５１前端面には、上記筒型銃身部２０ｂとガイドロッド５３の夫々の貫通口５１ａを穿孔し、上記スライド５１が、ブロック部２０ｃの後方端と当接した常態での定位置から後退動した状況に於て、自動復帰することを可能としたスライド機構にして構成されている。【００３３】  次いで上記したフレーム１００では、射軸１を機軸にして、ブロック部２０ｃ後端から前方向への気筒部６１と、その頭頂部の狭窄孔６２と、これに続く奥室空洞部６３を同軸配列で穿設すると共に、他方、グリップ末端３０ａに注入口３１を配し、これを上記奥室空洞部６３と通気孔６４で結び、上記注入口３１から気筒部６１後端に至るまでの気密通路が確保されている。【００３４】  そうした下で、上記気筒部６１前後方向の内法と等長にした、気筒部６１に内嵌するピストン６５と、上記奥室空洞部６３内を前後動する狭窄孔６２への可動弁６６を配備し、この可動弁６６には、ピストン６５を貫通しスライド５１後方へ後端部を突出させる一方で、奥室空洞部６３前方に突き抜けた先端部を形成する押圧軸６６ａが付されていると共に、可動弁６６が狭窄孔６２を常態で密閉状態に付勢するバネ６７を備え、以上によるフレーム１００内での駆動装置を構成している。【００３５】  これと共にある同フレーム１００内でのハンマー機構は、フレーム１００後部に回転軸７２で軸支されたハンマー７１にあって、図８に示すプレート７３と押しバネ７４からなる付勢装備で、ハンマー７１に形成されたカム部７１ａの作用により、矢示方向Ｙへの自転を可能とし、また、このハンマー７１を後方へ回転させた際の適当な回転度合で、ハンマー７１のノッチ部７１ｂと係合する係止装置８０を備えることの他に、係止装置８０と係脱可能な連係器４５をトリガー４０に保持させた構成としている。【００３６】  即ち、ハンマー７１を後転させ、係止装置８０での係留をなした図９（Ａ）の状況に於て、係留の解除がなればハンマー７１の図６に示す常態への復帰が可能であり、その際のハンマー７１の慣性回転で上記押圧���６６ａ後端部を衝打した後、押圧軸６６ａに付勢するバネ６７からの反撥を受けて常態へ回帰する設定とし、同押圧軸６６ａ先端側には、同時押圧稼動のなるスイッチ１６を配して、以上による銃本体を完成させている。【００３７】  この銃本体は、前述した実施例に準じる付帯制御部１２、１２０の連結手段によって、電装をハードウエアへ接続されると共に、上記注入口３１を蓄圧補充の可能な高圧容器（図示省略）とホース９０で結び、奥室空洞部６３に圧縮空気を供給する常態にして、射撃ゲームシステムの銃型コントローラとした実銃に於ける実射作動の再現を可能にしている。【００３８】  ところで、当実施例にある銃型コントローラは、図６に示した常態時からではトリガー４０操作を行っても射撃機能は作動をしない。所謂、実銃機構に倣ったシングルアクションとして、初動時には図９（Ａ）に示したハンマー７１を後転させての係止状態にする（これを「コッキング」という。）ことの操作を要する。【００３９】  その操作は、利き手で押えられた銃本体にあって、添え手側で案内溝２０ｄを軌道にするスライド５１を後方へ引くことにより、スライド５１後端がハンマー７１と摺接し半自動的に行うことができるが、直接的に指でハンマー７１を回転させることも可能であり、そうした後に銃型コントローラの射撃体勢がなる。【００４０】  そして照準を定めた適時にトリガー４０を引くことにより、トリガー４０に保持されている連係器４５が、ハンマー７１でのノッチ部７１ｂと係合した、回転軸８１に軸支されバネ８２による付勢状態にある係止装置８０を、係脱方向へ引き倒し、他方で解放されたハンマー７０はプレート７３と押しバネ７４での付勢装備により、矢示方向Ｙへの復帰回転をして押圧軸６６ａ後端を衝打する。【００４１】  この衝打によって、押圧軸６６ａ先端がスイッチ１６を押し射撃信号の入力がなり、同時にまた、同一体の可動弁６６が狭窄孔６２を開くことで、蓄圧気体が奥室空洞部６３から気筒部６１へ流出し、その膨張力で気筒部６１内周壁に摺接するピストン６５が自動的な後退動をなし、これと連動するスライド５１により、ハンマー７１は図９（Ｂ）に示すコッキング態勢となる。【００４２】  この態勢での係止装置８０の作動と同時機にあって、ハンマー７１が押圧軸６６ａから離れることでの可動弁６６の閉作動によって、排気遮断された気筒部６１内が平常気圧に戻り、これにより、バネ５２に付勢されたスライド５１が常態復帰可能となり、図９（Ａ）の次弾発射用意を整えた状態にして、以降でのトリガー４０操作を繰り返すのみにした自動連射がなる。【００４３】  また、ハンマー７１を押えて強制停止しながらトリガー４０を引き、コッキング解除にして、このハンマー７１を常態定位置までゆっくりと戻すことで発射用意からの係脱可能となる。【００４４】  本実施例の適用された銃型コントローラは、以上のように、実銃が次弾の発射用意を自動で行う一連動作を再現可能にして、その迫力を体感することができる。【００４５】  また、注入口３１に液化ガスの注入バルブを配し、通気孔６４には、その注入されたガスの気化室を兼ねた貯留部位を設けることで、補給用ホース９０を不用にすることが可能であって、前述した配線���ーブル１９の無線化と併用すれば、銃型コントローラのコードレス化がなり、その機動性での更に臨場感のある射撃を体感することができる。
【図面の簡単な説明】
【００４６】
【図１】  実施例１にする銃型コントローラの概略断面図。
【図２】  本発明に係る要部を部分断面にして同銃型コントローラを後方から見た外観図。
【図３】  本発明に係る要部を部分断面にして同銃型コントローラを前方から見た外観図。
【図４】  実施例２にする銃型コントローラの概略断面図。
【図５】  本発明に係る要部を部分断面にして同銃型コントローラを後方から見た外観図。
【図６】  実施例３にする銃型コントローラの概略断面図。
【図７】  同銃身部を断面にして前方から見た外観図（バネ５２の図示省略）。
【図８】  同ハンマー機構での付勢装備の概略断面図（押しバネ７４の図示省略）。
【図９】  （Ａ）  係止装置８０の作動状態を示した概略断面図。（Ｂ）  射撃時の作動状態を示した概略断面図。
【符号の説明】
【００４７】  １  射軸
２、２０  銃身部
２ａ、２０ａ  銃口部
３、３０  グリップ部
３ａ、３０ａ  末端
４、４０  トリガー
５  回転軸
６  バネ
１０、１００  フレーム
１１、１１０  連結基部
１２、１２０  付帯制御部
１３、１１３  連通口
１４  ピン
１５  視覚端末
１６  スイッチ
１７  操作子
１８  制御回路
１９  配線ケーブル
２０ｂ  筒型銃身部
２０ｃ  ブロック部
２０ｄ  案内溝
３１    注入口
４５    連係器
５１    スライド
５１ａ  貫通口
５２  バネ
５３  ガイドロッド
６１  気筒部
６２  狭窄孔
６３  奥室空洞部
６４  通気孔
６５  ピストン
６６  可動弁
６６ａ  押圧軸
６７  バネ
７１  ハンマー
７１ａ  カム部
７１ｂ  ノッチ部
７２  回転軸
７３  プレート
７４  押しバネ
８０  係止装置
８１  回転軸
８２  バネ
９０  ホース
１１１  円柱
１１２  突出部
１２１  接合部
１２２  口腔部内壁面
１２３  通用口
【図１】
2010145081.tif 000003
【図２】
2010145081.tif 000004
【図３】
2010145081.tif 000005
【図４】
2010145081.tif 000006
【図５】
2010145081.tif 000007
【図６】
2010145081.tif 000008
【図７】
2010145081.tif 000009
【図８】
2010145081.tif 000010
【図９】
2010145081.tif 000011